(57)【特許請求の範囲】
【請求項１】
スモールセルに対してスモール進化型ＮｏｄｅＢ（ｅＮＢ）として第１のユーザ機器（ＵＥ）を使用する方法であって、
前記スモールセルを介して第２のＵＥからの第１のロングタームエボリューション（ＬＴＥ）パケットを受信することと、
前記第１のＬＴＥパケットを第１の伝送制御プロトコル／インターネット（ＴＣＰ／ＩＰ）パケットに変換することであって、前記変換することは、前記第１のＬＴＥパケットからペイロードデータを読み出すことと、ＴＣＰ／ＩＰトンネリングプロトコルに基づいて前記ペイロードデータにＴＣＰ／ＩＰヘッダを追加することによって前記第１のＴＣＰ／ＩＰパケットに前記ペイロードデータをカプセル化することを含み、前記ＴＣＰ／ＩＰヘッダは、発展型パケットコア（ＥＰＣ）のグローバルＩＰアドレスを含み、前記グローバルＩＰアドレスは、ＩＰｖ４又はＩＰｖ６アドレスであり、
ローカルエリアネットワーク（ＬＡＮ）を介してインターネットサーバを通して前記第１のＵＥと接続されたＥＰＣ経由で、前記第１のＴＣＰ／ＩＰパケットをインターネット宛先に送信することと、
を含む、方法。
【請求項２】
前記ＥＰＣを経由して前記インターネット宛先から第２のＴＣＰ／ＩＰパケットを受信することと、前記第２のＴＣＰ／ＩＰパケットを第２のＬＴＥパケットに変換することと、前記スモールセルを介して前記第２のＬＴＥパケットを前記第２のＵＥへ送信することをさらに含む、請求項１に記載の方法。
【請求項３】
前記第２のＵＥから前記第１のＬＴＥパケットを受信し、前記第２のＵＥへ前記第２のＬＴＥパケットを送信するために、１つのＬＴＥコンポーネントキャリアの送信及び受信周波数を前記１つのＬＴＥコンポーネントキャリアの受信及び送信周波数に変換する能力を前記第１のＵＥが持つように構成することをさらに含む、請求項２に記載の方法。
【請求項４】
前記第１のＵＥのアイデンティティ及び前記第２のＵＥに関連したデータプランを提供することによってインターネットサーバを経由して前記ＥＰＣに登録することと、
データ伝送に対してトータルのバイト数を記録する課金サーバに対して制御及び課金情報を提供することを通して前記第２のＵＥ及び前記ＥＰＣとの間のデータ伝送に対して、前記第２のＵＥに関連する前記データプランに基づいて課金サーバに課金することであって、前記第１のＵＥは、前記インターネットサーバを経由して前記課金サーバに接続されている、請求項１に記載の方法。
【請求項５】
前記第１のＴＣＰ／ＩＰパケットは、前記ＵＥに接続されたコンピュータを経由して、前記インターネットサーバへ送信される、請求項１に記載の方法。
【請求項６】
前記第１のＵＥは、ＬＴＥモジュールを有するモデムを備えたモバイル装置である、請求項５に記載の方法。
【請求項７】
スモールセルに対してスモール進化型ＮｏｄｅＢ（ｅＮＢ）として使用される第１のユーザ機器（ＵＥ）であって、
プロセッサと、
前記スモールセルを介して第２のＵＥから第１のロングタームエボリューション（ＬＴＥ）パケットを受信するトランシーバと、
前記第１のＬＴＥパケットを第１の伝送制御プロトコル／インターネットプロトコル（ＴＣＰ／ＩＰ）パケットに変換する回路を含み、
前記回路は、さらに、前記第１のＬＴＥパケットからペイロードデータを読み取り、ＴＣＰ／ＩＰトンネリングプロトコルに基づいてペイロードデータにＴＣＰ／ＩＰヘッダを追加することによって、前記ペイロードデータを前記第１のＴＣＰ／ＩＰパケットにカプセル化し、前記ＴＣＰ／ＩＰヘッダは、発展型パケットコア（ＥＰＣ）ネットワークのグローバルＩＰアドレスを含み、前記グローバルＩＰアドレスは、ＩＰｖ４又はＩＰｖ６であり、
前記トランシーバは、さらに、ローカルエリアネットワーク（ＬＡＮ）を介してインターネットサーバを通して前記第１のＵＥに接続された前記ＥＰＣを経由して、前記第１のＴＣＰ／ＩＰパケットをインターネット宛先に送信する、第１のＵＥ。
【請求項８】
前記トランシーバは、さらに、前記ＥＰＣ経由で前記インターネット宛先から第２のＴＣＰ／ＩＰパケットを受信し、前記スモールセルを介して前記第２のＵＥに第２のＬＴＥパケットを送信し、前記回路は、前記第２のＴＣＰ／ＩＰパケットを第２のＬＴＥパケットに変換する、請求項７に記載の第１のＵＥ。
【請求項９】
前記回路は、さらに、前記第２のＵＥからの前記第１のＬＴＥパケットを受信し、前記第２のＵＥへ第２のＬＴＥパケットを送信するために、１つのＬＴＥコンポーネントキャリアの送信及び受信周波数を前記１つのＬＴＥコンポーネントキャリアの受信及び送信周波数に変換する能力を前記第１のＵＥが持つように構成する、請求項７に記載の第１のＵＥ。
【請求項１０】
前記トランシーバは、さらに、前記第１のＵＥのアイデンティティ及び前記第２のＵＥに関連するデータプランを提供することによって、前記インターネットサーバを経由して前記ＥＰＣに登録することと、データ伝送に対するトータルのバイト数を記録する課金サーバに対して制御及び課金情報の提供を通して、前記第２のＵＥと前記ＥＰＣとの間のデータ伝送に対して、前記第２のＵＥに関連する前記データプランに基づいて前記課金サーバに課金することであって、前記第１のＵＥは、前記インターネットサーバを経由して前記課金サーバに接続されている、請求項７に記載の第１のＵＥ。
【請求項１１】
前記第１のＴＣＰ／ＩＰパケットは、前記ＵＥに接続されたコンピュータを経由して、前記インターネットサーバに送信される、請求項７に記載の第１のＵＥ。
【請求項１２】
前記第１のＵＥは、ＬＴＥモジュール及びＬＡＮモジュールを有するモデムを備えたモバイル装置である、請求項７に記載の第１のＵＥ。
【発明の詳細な説明】
【背景技術】
【０００１】
ユーザのデバイスツーデバイス（device to device）通信は、特に修正、更新及び／又は改訂を含む第３世代パートナーシッププロジェクトのロングタームエボリューション（ＬＴＥ）標準規格に準拠したワイヤレスネットワークからの支援が無い又は最小であるユーザ装置間の通信を拡張するために使用することができる。
【０００２】
ＬＴＥ通信モジュールを有するユーザ機器（ＵＥ）などのユーザ装置は、他のＵＥと通信するためにスモールセルに対するスモール進化型ＮｏｄｅＢ（ＳｅＮＢ）として使用することができる。
【図面の簡単な説明】
【０００３】
本発明の実施形態は、制限のためではなく、実例として添付図面の図において説明され、図面の参照番号は、同様の要素を指す。
【０００４】
【図１】様々な実施態様に従った第１のワイヤレス通信システムを図式的に説明する。
【図２】様々な実施形態に従った第２のワイヤレス通信システムを図式的に説明する。
【図３】様々な実施形態に従った第１のワイヤレス通信システムにおける通信を処理する方法を図式的に説明する。
【図４】様々な実施形態に従った第２のワイヤレス通信における通信を処理する方法を図式的に説明する。
【図５】様々な実施形態に従った第２のワイヤレス通信における通信を処理する別の方法を図式的に説明する。
【図６】様々な実施形態に従ったシステムの実例を図式的に説明する。
【発明を実施するための形態】
【０００５】
本開示の実例となる実施形態は、ワイヤレスネットワークにおける装置共存干渉（device  coexistence  interference）における処理のための方法、システム、及び装置を含むが、これらには制限されない。
【０００６】
実例としての実施形態の様々な態様は、仕事の内容を他の当業者に伝えるために当業者によって共通して使われる用語を使用して説明される。しかしながら、いくつかの代替の実施形態が説明される態様の部分を使って実施できることは明らかになる。説明の目的で、特定の数字、材料、及び構成は、説明の役に立つ実施形態の完全な理解を提供するために明記される。しかしながら、代替の実施形態を詳細な説明なしに実施できることは当業者にとって明らかである。他の例では、周知の特徴は、説明に役に立つ実施形態を分かりにくくしないために省略され、又は簡略化されている。
【０００７】
さらに、様々な動作は、複数の別々の動作として、説明の役に立つ実施形態を理解するのに最も役に立つ順番・方法で説明されるが、説明の順番は、それらの動作が必要な順序依存であることを暗示するものとして解釈されるべきではない。特に、それらの動作は、示した順序で実行される必要はない。
【０００８】
「１つの実施形態において（in  one  embodiment）」という表現は、繰り返して使用される。この表現は、通常同じ実施形態を指すものではないが、指すこともあり得る。「備える（comprising）」、「有する（having）」と「含む（including）」は、文脈がそうでないと指示した場合を除いて、同義語である。表現「Ａ／Ｂ」は、「Ａ又はＢ」を意味する。表現「Ａ及び／又はＢ」は、「（Ａ）、（Ｂ）、又は（Ａ及びＢ）」を意味する。表現「少なくともＡ、Ｂ及びＣ」は、「（Ａ）、（Ｂ）、（Ｃ）、（Ａ及びＢ）、（Ａ及びＣ）、（Ｂ及びＣ）又は（Ａ、Ｂ及びＣ）」を意味する。表現「（Ａ）  Ｂ」は、「（Ｂ）又は（Ａ  Ｂ）」を意味し、すなわち、Ａはオプションである。
【０００９】
特定の実施形態が本明細書で図示され、説明されるが、幅広い様々な代替案及び／又は同等の実装は、本開示の実施形態の範囲から逸脱することなく、示され、説明された特定の実施形態に対して、置き換えできることが当業者によって理解することができる。本出願は、本明細書で検討した実施形態の適用又は変形をカバーすることを意図する。したがって、本開示の実施形態は、請求項及びその均等物によってのみ制限されることを明白に意図する。
【００１０】
本明細書で使用される、用語「モジュール（module）」は、特定用途向け集積回路（ＡＳＩＣ）、電子回路、プログラマブルロジック、プロセッサ（共用、専用、又はグループ）及び／又は１つ以上のソフトウェア又はファームウェアプログラムを実行するメモリ（共用、専用、又はグループ）、組合せロジック回路、及び／又は説明した機能を提供する他の適切なコンポーネントの一部として指す、又はそれらを含むことができる。
【００１１】
図１は、様々な実施形態に従った第１のワイヤレス通信システム１００を図式的に説明する。図示したように、第１のワイヤレス通信システム１００は、マスタユーザ機器（ＵＥ）１０１、複数のスレーブＵＥ１０２ａ〜１０２ｃ、パーソナルコンピュータ（ＰＣ）１０３、ローカルエリアネットワーク（ＬＡＮ）ルータ１０４、インターネットクラウド１０５、課金サーバ（billing  server）１０６及び発展型パケットコア（ＥＰＣ）１０７、及び／又はその他を含むことができる。
【００１２】
様々な実施形態に従った、マスタＵＥ１０１は、制限なく、スマートフォン、携帯電話、タブレット、コンシューマ電子装置、ラップトップコンピュータ、ノートブックコンピュータ、モバイルコンピューティングシステム、プロセッサベースシステム、及び／又はスモールセルに対してスモール進化型ＮｏｄｅＢとして使用するように構成された他のモバイル通信装置として具体化することができる。スレーブＵＥ１０２ａ〜１０２ｃのいずれかは、制限なく、スマートフォン、携帯電話、タブレット、コンシューマ電子装置、ラップトップコンピュータ、ノートブックコンピュータ、モバイルコンピューティングシステム、プロセッサベースシステム、及び／又はマスタＵＥによってサービス提供されるように構成された他のモバイル通信装置として具体化することができる。
【００１３】
いくつかの実施形態において、マスタＵＥ１０１は、修正、更新及び／又は改訂を含む第３世代パートナーシッププロジェクトのロングタームエボリューション（ＬＴＥ）標準規格に準拠したロングタームエボリューション（ＬＴＥ）モジュール、ＩＥＥＥ８０２．１１仕様書に準拠したＷｉＦｉモジュール、及び／又はその他のものなどとして複数の通信モジュールを装備した進化型ＵＥであり得る。進化型ＵＥがマスタＵＥとして動作するということは、マスタＵＥ１０１が、スレーブＵＥ１０２ａ〜１０２ｃへ／からＬＴＥパケットを送信／受信するためのスモールｅＮＢとしてスレーブＵＥ１０２ａ〜１０２ｃへサービス提供する能力を備えて構成され得ることを意味する。この機能を実行するために、周波数分割双方向（ＦＤＤ）をサポートするマスタＵＥは、受信／送信周波数（すなわち、受信周波数１．９ＧＨｚと送信周波数２ＧＨｚ）として１つのキャリアの送信／受信周波数（すなわち、送信周波数１．９ＧＨｚと受信周波数２ＧＨｚ）を変換する能力と、送信し、ブロードキャストし、同期し、ページングなどする能力と、及びシングルキャリアなどのアップリンク伝送プロトコルから直交周波数分割多重（ＯＦＤＭ）などのダウンリンク伝送プロトコルへ伝送プロトコルへスイッチする能力を有するように構成することができる。いくつかの実施形態において、マスタＵＥ１０１のユーザインタフェースは、マスタＵＥモードとノーマルＵＥモードとの間のスイッチングのオン／オフをユーザが選択するためのボタンなどとしての方法を提供する。
【００１４】
いくつかの実施形態において、マスタＵＥ１０１とスレーブＵＥ１０２ａ〜１０２ｃは、それらの間でのＬＴＥ接続を確立する前に近接しているお互いの存在を検出することができる。マスタＵＥ１０１は、スレーブＵＥ（例えば、スレーブＵＥ１０２ａ）からＬＴＥパケットを受信することができる。マスタＵＥ１０１は、ＬＴＥパケットを伝送制御プロトコル／インターネットプロトコル（ＴＣＰ／ＩＰ）パケットに変換することができる。例えば、マスタＵＥ１０１は、ＬＴＥパケットからペイロードデータを読み出し、例えば、ＥＰＣのＩＰアドレスを含んだＴＣＰ／ＩＰヘッダをペイロードに追加するなどＴＣＰ／ＩＰトンネリングプロトコルに基づいてペイロードデータをＴＣＰ／ＩＰパケットにカプセル化することができる。マスタＵＥは、さらに、ローカルエリアネットワーク経由でインターネットクラウド１０５にＴＣＰ／ＩＰパケットをさらに送信することができ、ローカルエリアネットワークは、入力／出力（Ｉ／Ｏ）ポート（例えば、ユニバーサルシリアルバス（ＵＳＢ）ポート）経由でマスタＵＥ１０１と接続することができるＰＣ１０３、ＰＣをインターネットへ接続することができるＬＡＮルータ１０４、及び／又はその他を含む。インターネットクラウド１０５は、さらにＴＣＰ／ＩＰパケットをＥＰＣへ経路指定することができる。ＥＰＣは、マスタＵＥによって加えられたＴＣＰ／ＩＰヘッダを取り除き、カプセル化データをその実際の宛先に転送することができる。いくつかの実施形態において、図１では説明していないが、ＥＰＣ１０７は、モビリティ管理エンティティ（ＭＭＥ）、サービングゲートウェイ（Ｓ−ＧＷ）、パケットデータネットワーク−ゲートウェイ（ＰＤＮ−ＧＷ）、サービングＧＰＲＳサポートノード（ＳＧＳＮ）などを含むことができる。
【００１５】
いくつかの実施形態において、マスタＵＥ１０１は、ＬＴＥ  ＭＡＣヘッダを取り除くことによってＬＴＥパケットをＴＣＰ／ＩＰパケットに変換することができる。代替案として、マスタＵＥは、ＥＰＣ１０７を通して経路指定することなくスレーブＵＥ１０２ａ〜１０２ｃが発信元のＴＣＰ／ＩＰパケットを直接その宛先（例えば、インターネットサーバ）に送ることもできる。マスタＵＥは、サービス提供データボリューム（served  data  volume）を含む制御情報を、ＥＰＣ１０７又は課金サーバ１０６にＴＣＰ／ＩＰプロトコルを使用してさらに送信することができる。ＥＰＣ／課金サーバは、統計又は課金の目的のためこれらの制御情報を使用することができる。
【００１６】
いくつかの実施形態において、マスタＵＥ１０１は、提案されることがあるスレーブＵＥのデータプランに基づく課金レートを持つスレーブＵＥ１０２ａ〜１０２ｃのいずれかにサービスを提供する場合、例えば、マスタＵＥ１０１は、スレーブＵＥ１０２ａ〜１０２ｃとインターネットとの間のデータ伝送の２０％にチャージすることができ、インターネットクラウド１０５は、さらに課金サーバ（billing  server）１０６に接続することができ、課金サーバは、スレーブＵＥ１０２ａ〜１０２ｃとインターネットとの間のデータ伝送に対する課金レートを記録し、マスタＵＥのデータプランに残りのバイトを追加することもできる。
【００１７】
スレーブＵＥ１０２ａ〜１０２ｃとインターネット（例えば、宛先サーバなど）との間のデータ伝送は上述したが、同一又は同様のコンセプトは、インターネットからスレーブＵＥ１０２ａ〜１０２ｃへのデータ伝送に対して採用可能であることを理解すべきである。
【００１８】
説明される第１のワイヤレス通信システムは、特に、インドア（indoor：屋内）ＬＴＥネットワークのカバレッジ品質が不十分な場合、インドアＬＴＥネットワークカバレッジに対して有効であり得る。第１のワイヤレス通信システム１００において、スモールセルは、スレーブＵＥのオペレータからのＬＴＥカバレッジが制限されているか又は無いところでは、追加のカバレッジを提供するために配置することができる。スレーブＵＥのオペレータがカバレッジを有する場合でも、同じバンド幅がよりかなり少ない数のＵＥによって共用されるので、マスタＵＥはよりかなり高いスループットを提供することができる。
【００１９】
図２は、様々な実施形態に従った第２のワイヤレス通信システムを図式的に説明する。第２のワイヤレス通信システム２００は、マスタＵＥ２０１、複数のスレーブＵＥ２０２ａ〜２０２ｃ、ＬＴＥ  ｅＮＢ２０３、及びその他を含むことができる。マスタＵＥ２０１は、制限なく、スマートフォン、携帯電話、タブレット、コンシューマ電子装置、ラップトップコンピュータ、ノートブックコンピュータ、モバイルコンピューティングシステム、プロセッサベースシステム、及び／又はスモールセルがカバーするスレーブＵＥ１０２ａ〜１０２ｃに対してスモール進化型ＮｏｄｅＢ（ｅＮＢ）として使用されるように構成された任意の他のモバイル通信装置を含む。ＵＥ２０１ａ〜１０２ｃのいずれかは、例えば体温、血圧、及び／又はユーザの他の特徴を測定するメーターなどＬＴＥ  ｅＮＢ２０３へ／からデータを送信／受信するためのマスタＵＥによってサービス提供されるように構成された低電力センサとして制限なく具体化できる。他の実施形態において、スレーブＵＥ１０２ａ〜１０２ｃは、スマートフォン、携帯電話、タブレット、コンシューマ電子装置、ラップトップコンピュータ、ノートブックコンピュータ、モバイルコンピューティングシステム、プロセッサベースシステム、及び／又はマスタＵＥによってサービス提供されるように構成された他のモバイル通信装置として制限なく具体化することができる。ＬＴＥ  ｅＮＢ２０３は、修正、更新及び／又は改訂を含む第３世代パートナーシッププロジェクトのＬＴＥ標準規格の下でマスタＵＥ２０１とＥＰＣ２０４との間でブリッジする基地局であり得る。いくつかの実施形態において、図２には説明されていないが、ＥＰＣ２０４は、モビリティ管理エンティティ（ＭＭＥ）、サービングゲートウェイ（Ｓ−ＧＷ）、パケットデータネットワーク−ゲートウェイ（ＰＤＮ−ＧＷ）、サービングＧＰＲＳサポートノード（ＳＧＳＮ）などを含むことができる。
【００２０】
いくつかの実施形態において、マスタＵＥ２０１は、スレーブＵＥ１０２ａ〜１０２ｃへ／からＬＴＥパケットを送信／受信するためのスモールｅＮＢとしてスレーブＵＥ２０２ａ〜２０２ｃにサービス提供する能力を備えるように構成することができる。この機能を実行するために、周波数分割双方向（ＦＤＤ）をサポートするマスタＵＥは、その送信／受信周波数（すなわち、送信周波数１．９ＧＨｚと受信周波数２ＧＨｚ）を受信／送信周波数（すなわち、受信周波数１．９ＧＨｚと送信周波数２ＧＨｚ）として変換する能力と、送信し、ブロードキャストし、同期し、ページングなどする能力と、及びシングルキャリアなどのアップリンク伝送プロトコルから直交周波数分割多重（ＯＦＤＭ）などのダウンリンク伝送プロトコルへ伝送プロトコルをスイッチする能力、及び／又はその他を有するように構成することができる。いくつかの実施形態において、マスタＵＥ１０１のユーザインタフェースは、ノーマルＵＥモードとマスタＵＥモードとの間でのスイッチングのオン／オフをユーザが選択するためのボタンなどの方法を提供することができる。
【００２１】
いくつかの実施形態において、マスタＵＥ２０１は、スモールセルを介してスレーブＵＥ１０２ａからＬＴＥパケットを受信することができる。マスタＵＥ２０１は、マスタＵＥ２０１からＬＴＥ  ｅＮＢ２０３への送信に適するようにするためにＬＴＥパケットを修正することができる。例えば、マスタＵＥ２０１は、スレーブＵＥ２０２ａに関連するＬＴＥパケットの古いヘッダをマスタＵＥ２０１に関連する新しいヘッダで置き換えることができる。以上を達成するために、マスタＵＥ２０１は、各スレーブＵＥに関してＩＰアドレスとＭＡＣアドレスとの間の関係を記録することができる。ソーススレーブＵＥからＬＴＥ  ｅＮＢ２０３へＬＴＥパケットを転送する及びその逆の前に、ソーススレーブＵＥ（例えば、スレーブＵＥ２０２ａ）のＩＰアドレスとＭＡＣアドレスを、マスタＵＥ２０１は、それ自身のＩＰアドレスとＭＡＣアドレスで置き換ることができる。次に、ＬＴＥ  ｅＮＢ２０３は、さらに、ＬＴＥパケットをＥＰＣ２０４へ送信することができる。スレーブＵＥ１０２ａ〜１０２ｃとＥＰＣ１０７との間のデータ伝送は、上述の通りであるが、同じ又は同様のコンセプトがＥＰＣ１０７からスレーブＵＥ１０２ａ〜１０２ｃへのデータ伝送に対して採用可能であることを理解すべきである。
【００２２】
いくつかの実施形態において、マスタＵＥ２０１は、ＬＴＥ  ｅＮＢ２０３からＬＴＥパケットコールを受信することができる。ＬＴＥパケットコールを処理するために、マスタＵＥ２０１がスレーブＵＥ２０２ａ〜２０２ｃにサービス提供し続けることは困難な場合がある。いくつかの実施形態において、所定の期間に対してマスタＵＥ２０１が機能を停止することに応答して、スレーブＵＥ２０２ａ〜２０２ｃは、無線リンクの停止を宣言することができる。マスタＵＥ２０１がそれ自身のＬＴＥパケットコールを完了したとき、スレーブＵＥ２０２ａ〜２０２ｃにサービス提供し続けるために、マスタＵＥ２０１は、スレーブＵＥから／へのＬＴＥパケット通信のために無線リソース接続（ＲＲＣ）を再確立する必要があるかも知れない。
【００２３】
別の実施形態において、マスタＵＥ２０１は、無線リソース接続（ＲＲＣ）サスペンドリクエスト（radio  resource  connection  (RRC)  suspend  request）をスレーブＵＥ２０２ａ〜２０２ｃに送信し、それは、ＲＲＣサスペンドタイプ及び期間を表示することができる。ＲＲＣサスペンドリクエストに応答して、スレーブＵＥ２０２ａ〜２０２ｃは、ロングＤＲＸサイクルに入り、マスタＵＥサービスが不在の間、無線リンク停止（radio  link  failure）の宣言を避ける。ＬＴＥパケットコールがＲＲＣサスペンドタイマが満了する前に終了しない場合は、マスタＵＥ２０１は、追加のＲＲＣサスペンドメッセージをスレーブＵＥに送り、スレーブＵＥのＤＲＸサイクルのオン期間にＲＲＣサスペンド時間を延長することができる。マスタＵＥは、ＬＴＥパケットコールの間、スレーブＵＥに追加のＲＲＣサスペンドメッセージを送信し、一方、スレーブＵＥのＤＲＸサイクルのオン期間にＬＴＥパケットコールは中断され得る。最後のＲＲＣサスペンドタイマが満了する前にＲＲＣサスペンド期間を延長するために使用することができる新しいＲＲＣサスペンドメッセージを受信しない場合、スレーブＵＥは、無線リンクの停止を宣言することができる。ＲＲＣサスペンド期間が満了する前にマスタＵＥのＬＴＥパケットコールが終了したとき、マスタＵＥは、スレーブＵＥとのＲＲＣ接続の再確立の必要なしにスレーブＵＥへのサービス提供を継続することができる。
【００２４】
技術標準（ＴＳ：technical  standard）３６．３３１に定義されたＲＲＣサスペンドリクエストの実例は、システム情報メッセージ、例えば、ＳＩＢ２などを使って情報をブロードキャストすることによって以下のように提案することができる。
Ｓｉｇｎａｌｌｉｎｇｒａｄｉｏｂｅａｒｅｒ：非適用（Ｎ／Ａ）
ＲＬＣ−ＳＡＰ：ＴＭ
Ｌｏｇｉｃａｌｃｈａｎｎｅｌ：ＢＣＣＨ
方向（Direction）：Ｅ−ＵＴＲＡＮからＵＥへ
ＲＲＣｏｎｎｅｃｔｉｏｎｓｕｓｐｅｎｄｒｅｑｕｅｓｔｍｅｓｓａｇｅ
（表１）
0006404463.tif 000002
【００２５】
図３は、様々な実施形態に従った第１のワイヤレス通信システム１００において通信を処理する方法を図式的に説明する。ブロック３０１において、マスタＵＥ１０１は、進化型ＵＥからスイッチすることができ、複数のスレーブＵＥ１０２ａ〜１０２ｃにサービス提供する能力を持つように構成することができ、それは、スレーブＵＥ１０２ａ〜１０２ｃへ／からのＬＴＥパケットを送信／受信するためにスモールｅＮＢとしてスレーブＵｅ１０２ａ〜１０２ｃへのサービス提供する能力を含む。この機能を実行するために、マスタＵＥは、その送信／受信周波数（すなわち、送信周波数１．９ＧＨｚと受信周波数２ＧＨｚ）を受信／送信周波数（すなわち、受信周波数１．９ＧＨｚと送信周波数２ＧＨｚ）として変換する能力と、送信し、ブロードキャストし、同期し、ページングなどする能力と、及びシングルキャリアなどのアップリンク伝送プロトコルから直交周波数分割多重（ＯＦＤＭ）などのダウンリンク伝送プロトコルへ伝送プロトコルをスイッチする能力及び／又はその他を有するように構成することができる。いくつかの実施形態において、マスタＵＥ１０１のユーザインタフェースは、マスタＵＥと進化型ＵＥとの間でのスイッチングのオン／オフをユーザが選択するボタンなどの方法を提供することができる。
【００２６】
ブロック３０２において、マスタＵＥは、アイデンティティ（identity）、アドレス、及び／又はその他の情報を提供することによってインターネットクラウド１０５に登録することができる。いくつかの実施形態において、例えば、マスタＵＥ１０１はスレーブＵＥ１０２ａ〜１０２ｃとインターネットとの間のデータ伝送の２０％にチャージすることができるなど提案され得るスレーブＵＥのデータプランに基づいて課金レートと共にスレーブＵＥ１０２ａ〜１０２ｃのいずれかにマスタＵＥ１０１がサービス提供する場合、マスタＵＥ１０１は、インターネットクラウド１０５を経由して課金サーバ１０６にさらに接続し、スレーブＵＥとマスタＵＥのデータプランに関連する制御及び／又は課金情報を送信することができ、課金サーバ１０６は、マスタＵＥを経由してサービス提供されるインターネットとスレーブＵＥ１０２ａ〜１０２ｃの間のデータ伝送に対してトータルのバイト数を記録することができる。
【００２７】
ブロック３０３において、マスタＵＥ１０１は、ＬＴＥパケットをＴＣＰ／ＩＰパケットに変換することができる。例えば、マスタＵＥ１０１は、ＬＴＥパケットからペイロードデータを読み出し、ＴＣＰ／ＩＰヘッダ及びアドレスをペイロードに追加するなどＴＣＰ／ＩＰプロトコルに基づいてペイロードデータをＴＣＰ／ＩＰパケットにカプセル化することができる。ブロック３０４で、マスタＵＥは、ローカルエリアネットワーク経由でインターネットクラウド１０５にＴＣＰ／ＩＰパケットをさらに送信することができ、ローカルエリアネットワークは、入力／出力（Ｉ／Ｏ）ポート（例えば、ユニバーサルシリアルバス（ＵＳＢ）ポート）経由でマスタＵＥ１０１と接続されたＰＣ１０３、ＰＣ１０３をインターネット、及び／又はその他に接続するＬＡＮルータ１０４を含む。インターネットクラウド１０５は、さらに、ＴＣＰ／ＩＰパケットをＥＰＣ１０７へ転送し、ＥＰＣはマスタＵＥによって追加されたＴＣＰ／ＩＰヘッダを削除し、オリジナルパケット（例えば、データペイロード）をその最終的な宛先に送信することができる。
【００２８】
図４は、様々な実施形態に従った第２のワイヤレス通信システム２００において通信を処理する方法を図式的に説明する。
【００２９】
ブロック４０１において、パーソナルエリアネットワークに対してＳｅＮＢとして動作する能力を持つようにマスタＵＥ２０１は構成され、パーソナルエリアネットワークは、スレーブＵＥ１０２ａ〜１０２ｃとＬＴＥ  ｅＮＢ２０３との間でＬＴＥパケットを送信するためにマスタＵＥ２０１に近接して位置する複数のスレーブＵＥ１０２ａ〜１０２ｃを含む。この機能を実行するために、マスタＵＥ２０１は、その送信／受信周波数（すなわち、送信周波数１．９ＧＨｚと受信周波数２ＧＨｚ）を受信／送信周波数（すなわち、受信周波数１．９ＧＨｚと送信周波数２ＧＨｚ）として変換する能力と、送信し、ブロードキャストし、同期し、ページングなどする能力、及びシングルキャリアなどのアップリンク伝送プロトコルから直交周波数分割多重（ＯＦＤＭ）などのダウンリンク伝送プロトコルへ伝送プロトコルをスイッチする能力及び／又はその他を有するように構成することができる。いくつかの実施形態において、マスタＵＥ２０１のユーザインタフェースは、通常のＵＥ（ordinary  UE）とマスタＵＥとの間でスイッチングのオン／オフをユーザが選択するボタンなどの方法を提供することができる。
【００３０】
ブロック４０２において、マスタＵＥ２０１は、スモールセルを介してスレーブＵＥ１０２ａからＬＴＥパケットを受信することができる。ブロック４０３〜４０４で、マスタＵＥ２０１は、マスタＵＥ２０１からＬＴＥ  ｅＮＢ２０３へ送信するのに適するようにＬＴＥパケットを修正することができる。例えば、マスタＵＥ２０１は、スレーブＵＥ２０２ａに関連するＬＴＥパケットの古いヘッダをマスタＵＥ２０１に関連する新しいヘッダで置き換えることができる。上述を完了するために、マスタＵＥは、各スレーブＵＥのＩＰアドレスとＭＡＣアドレスとの間の関係を記録することができる。マスタＵＥ２０１は、ソーススレーブＵＥからＬＴＥ  ｅＮＢ２０３又はその逆にＬＴＥパケットを転送する前に、ソーススレーブＵＥ（例えば、スレーブＵＥ２０１ａ）のＩＰアドレス及びＭＡＣアドレスをそれ自身のＩＰアドレス及びＭＡＣアドレスと置き換えることができる。次に、ＬＴＥ  ｅＮＢ２０３は、ＬＴＥパケットをＥＰＣ２０４へさらに送信することができる。スレーブＵＥ１０２ａ〜１０２ｃとＥＰＣ１０７との間のデータ伝送は、上述の通りであるが、同じ又は同様のコンセプトがＥＰＣ１０７からスレーブＵＥ１０２ａ〜１０２ｃへのデータ伝送に対して適用可能であることを理解すべきである。
【００３１】
図５は、様々な実施形態に従った第２のワイヤレス通信システム２００における通信の処理の方法を図式的に説明する。
【００３２】
いくつかの実施形態において、ブロック５０１で、マスタＵＥ２０１は、ＬＴＥパケットコールをＬＴＥ  ｅＮＢ２０３から受信することができる。ＬＴＥパケットコールを処理するために、マスタＵＥ２０１は、スレーブＵＥ２０２ａ〜２０２ｃへサービス提供を続けることが困難であり得る。ある実施形態において、マスタＵＥ２０１は、無線リソース接続（ＲＲＣ）サスペンドリクエストをスレーブＵＥ２０２ａ〜２０２ｃに送信することができ、ＲＲＣサスペンドリクエストは、ＲＲＣサスペンドタイプと期間を示すことができる。ブロック５０３において、マスタＵＥ２０１は、期間内でパケットコールを処理することができるかもしれない。ブロック５０４において、期間は満了し、マスタＵＥは、スレーブＵＥとのＲＲＣ接続を再確立する必要なくスレーブＵＥへのサービス提供を続けることができる。
【００３３】
図６は、様々な実施形態に従ったシステムの実例を図式的に説明する。１実施形態において、システム６００は、１つ以上のプロセッサ６０４、少なくとも１つのプロセッサ６０４に接続されたシステム制御ロジック６０８、システム制御ロジック６０８に接続されたシステムメモリ６１２、システム制御ロジック６０８に接続された不揮発性メモリ（ＮＶＭ）／記憶装置６１６、及びシステム制御ロジック６０８に接続されたネットワークインタフェース６２０を備えることができる。
【００３４】
プロセッサ６０４は、１つ以上のシングルコア又はマルチコアのプロセッサを含むことができる。プロセッサ６０４は、汎用プロセッサ及び専用プロセッサ（例えば、グラフィックスプロセッサ、アプリケーションプロセッサ、ベースバンドプロセッサなど）の任意の組合せを含むことができる。１実施形態において、マスタＵＥ１０１を実装したシステム６００において、プロセッサ６０４は、様々な実施形態に従った図１及び図３に説明される１つ以上の実施形態を実行するように構成することができる。１実施形態において、マスタＵＥ２０１を実装したシステム６００において、プロセッサ６０４は、様々な実施形態に従って、図２、４及び５に説明された１つ以上の実施形態を実行するように構成することができる。
【００３５】
１実施形態に関するシステム制御ロジック６０８は、少なくとも１つのプロセッサ６０４に対する任意の適切なインタフェース及び／又はシステム制御ロジック６０８と通信する適切な装置又はコンポーネントを提供する任意の適切なインターフェースコントローラを含むことができる。
【００３６】
１つの実施形態に対するシステム制御ロジック６０８は、システムメモリ６１２にインタフェースを提供する１つ以上のメモリコントローラを含むことができる。システムメモリ６１２は、例えば、システム６００のためのデータ及び／又は命令のロード及びストアするために使用することができる。１つの実施形態に対するシステムメモリ６１２は、例えば、適切なダイナミックランダムアクセスメモリ（ＤＡＲＭ）などの任意の適切な揮発性メモリを含むことができる。
【００３７】
ＮＶＭ／記憶装置６１６は、例えばデータ及び／又は命令の記憶に使用する１つ以上の有形の非一時的コンピュータ読取可能媒体を含むことができる。ＮＶＭ／記憶装置６１６は、例えばフラッシュメモリなどの任意の適切な不揮発性メモリを含むことができ、及び／又は例えば１つ以上のハードディスクドライブ（ＨＤＤ）、１つ以上のコンパクトディスク（ＣＤ）ドライブ、及び／又は１つ以上のデジタル多目的ディスク（ＤＶＤ）ドライブなどの任意の適切な不揮発性記憶装置を含むことができる。
【００３８】
ＮＶＭ／記憶装置６１６は、システム６００がインストールされる又はシステム６００によってアクセスできる装置の記憶リソース物理的部分を含むことができるが、装置の部分に限定される必要はない。例えば、ＮＶＭ／記憶装置６１６は、ネットワークインタフェース６２０を経由してネットワークを介してアクセスすることができる。
【００３９】
システムメモリ６１２及びＮＶＭ／記憶装置６１６は、それぞれ、特に、命令６２４の一時的及び持続性のコピーを含むことができる。命令６２４は、少なくとも１つのプロセッサ６０４によって実行されるとき、システム６００が、図６を参照して説明される方法を実行することをもたらす命令を含むことができる。様々な実施形態において、命令６２４、又はハードウェア、ファームウェア、及び／又はそれらに関するソフトウェアコンポーネントは、追加的に／代替的にシステム制御ロジック６０８、ネットワークインタフェース６２０、及び／又はプロセッサ６０４に位置することができる。
【００４０】
ネットワークインタフェース６２０は、無線周波数モジュール（ＲＦモジュール）、ベースバンドモジュール、ＬＴＥモジュール、ＷｉＦｉモジュールなどを含むことができ、システム６００に対する無線インタフェースを提供し、１つ以上のネットワークを介して及び／又は任意の他の適切な装置と通信することができる。様々な実施形態において、ネットワークインタフェース６２０は、システム６００の他のコンポーネントと統合することができる。例えば、ネットワークインタフェースは、プロセッサ６０４のプロセッサ、システムメモリ６１２のメモリ、ＮＶＭ／記憶装置６１６のＮＶＭ／記憶装置、及び／又は少なくとも１つのプロセッサ６０４によって実行されたときに図６を参照して説明される方法をシステム６００が実行することになる命令を有するファームウェア装置（図示していないが）を含むことができる。
【００４１】
ネットワークインタフェース６２０は、無線インタフェースの複数の入力、複数の出力を提供する複数のアンテナなどの任意の適切なハードウェア及び／又はファームウェアをさらに含むことができる。１つの実施形態に対するネットワークインタフェース６２０は、例えば、ネットワークアダプタ、ワイヤレスネットワークアダプタ、電話モデム、及び／又はワイヤレスモデムを含むことができる。
【００４２】
１つの実施形態に対して、少なくとも１つのプロセッサ６０４は、システム制御ロジック６０８の１つ以上のコントローラに対するロジックと一緒にパッケージ化することができる。１つの実施形態において、少なくとも１つのプロセッサ６０４は、システムインパッケージ（ＳｉＰ）を形成するためにシステム制御ロジック６０８の１つ以上のコントローラに対するロジックと一緒にパッケージ化することができる。１つの実施形態において、少なくとも１つのプロセッサ６０４は、システム制御ロジック６０８の１つ以上のコントローラに対するロジックと一緒に同じダイ上に統合することができる。１つの実施形態において、少なくとも１つのプロセッサ６０４は、システムオンチップ（ＳｏＣ）を形成するためにシステム制御ロジック６０８の１つ以上のコントローラに対するロジックと一緒に同じダイ上に統合することができる。
【００４３】
システム６００は、入力／出力（Ｉ／Ｏ）装置６３２をさらに含むことができる。ユーザがシステム６００と相互作用できるように設計されたユーザインタフェース、周辺機器コンポーネントがシステム６００と相互作用できるように設計された周辺機器コンポーネントインタフェース、及び／又はシステム６００に関連する環境の状態及び／又は位置情報を決定するように設計されたセンサを、Ｉ／Ｏ装置６３２は、含むことができる。
【００４４】
様々な実施形態において、ユーザインタフェースは、これらに制限されないが、ディスプレイ（例えば、液晶ディスプレイ、タッチスクリーンディスプレイなど）、スピーカー、マイクロフォン、１つ以上のカメラ（例えば、静止カメラ及び／又はビデオカメラ）、フラッシュライト（例えば、発光ダイオードフラッシュ）、及びキーボードを含むことができる。
【００４５】
様々な実施形態において、周辺機器コンポーネントインタフェースは、制限されることなく、不揮発性メモリポート、オーディオジャック、及び電源インタフェースを含むことができる。
【００４６】
様々な実施形態において、センサは、制限されることなく、ジャイロセンサ、加速度計、近接センサ、周辺光センサ、及び位置決めユニットを含むことができる。位置決めユニットは、例えば、グローバルポジショニングシステム（ＧＰＳ）衛星などの位置決めネットワークのコンポーネントと通信するネットワークインタフェース６２０の一部でもあり又はネットワークインタフェース６２０と相互作用することもできる。
【００４７】
本開示は、以下で説明される様々な実施形態の実例を含むことができる。
【００４８】
実施形態の実例１において、スモールセルに対してスモール進化型ＮｏｄｅＢ（ｅＮＢ）として第１のユーザ機器（ＵＥ）を使用する方法であって、スモールセルを介して第２のＵＥから第１のロングタームエボリューション（ＬＴＥ）パケットを受信することと、第１のＬＴＥパケットを第１の伝送制御プロトコル／インターネットプロトコル（ＴＣＰ／ＩＰ）パケットに変換することであって、変換することは、第１のＬＴＥパケットからペイロードデータから読み取ることと、ＴＣＰ／ＩＰヘッダをペイロードデータに追加することによってペイロードデータを第１のＴＣＰ／ＩＰパケットにカプセル化することを含み、ＴＣＰＴ／ＩＰヘッダは、ＴＣＰ／ＩＰトンネリングプロトコルに基づいてインターネットに関連する発展型パケットコア（ＥＰＣ）ネットワークのＩＰアドレスを含み、ローカルエリアネットワーク（ＬＡＮ）を介してインターネットサーバを通して、第１のＵＥに接続されたＥＰＣを経由してインターネット宛先に第１のＴＣＰ／ＩＰパケットを送信することを含むことができる。
【００４９】
実施形態の実例２において、実施形態の実例１による方法は、ＬＡＮを介してインターネットサーバから第２のＴＣＰ／ＩＰパケットを受信することであって、第２のＴＣＰ／ＩＰパケットは、ＥＰＣネットワークから又は直接インターネット宛先から転送され、第２のＴＣＰ／ＩＰパケットを第２のＬＴＥパケットへ変換することと、スモールセルを介して第２のＬＴＥパケットを第２のＵＥに送信することを含むことができる。
【００５０】
実施形態の実例３において、実施形態の実例１〜２のいずれかに記載の方法が、スレーブＵＥへ／からの第１のＬＴＥパケット又は第２のＬＴＥパケットを送信／受信するために、１つのＬＴＥコンポーネントキャリアの送信／受信周波数を変換する能力を備えるようにＵＥを構成することを含むことができる。
【００５１】
実施形態の実例４において、実施形態の実例１〜３のいずれかによる方法は、第１のＵＥに関連するアイデンティティ及びデータプランを提供することによってインターネットサーバ経由でＥＰＣネットワークに登録することと、第２のＵＥに関連するデータプランに基づいて、第２のＵＥからＥＰＣへの第１及び第２のＬＴＥパケットの送信及び／又は第１及び第２のＴＣＰ／ＩＰパケットの受信に対して、インターネットクラウドに接続された課金サーバにチャージすることを含むことができる。
【００５２】
実施形態の実例５において、第１のＴＣＰ／ＩＰパケットがＵＥに接続されたコンピュータを経由してインターネットサーバに送信することができる、実施形態の実例１〜４に記載の方法。
【００５３】
実施形態の実例６において、マスタＵＥは、ＬＴＥモジュールとＬＡＮモジュールを有するモデムを備えたモバイル装置であり得る、実施形態の実例１〜５のいずれかに記載の方法。
【００５４】
実施形態の実例７において、スモールセルに対してスモール発展型ＮｏｄｅＢ（ｅＮＢ）として使用される第１のユーザ機器（ＵＥ）は、プロセッサと、その中に記憶された命令を有する１つ以上の機械読取可能媒体を含むことができ、命令は、１つ以上のプロセッサによって実行されたときに、マスタＵＥに、スモールセルを介して第２のＵＥから第１のロングタームエボリューション（ＬＴＥ）パケットを受信することと、第１のＬＴＥパケットを第１の伝送制御プロトコル／インターネットプロトコル（ＴＣＰ／ＩＰ）パケットに変換することであって、変換することは、第１のＬＴＥパケットからペイロードデータを読み出すことと、ＴＣＰ／ＩＰヘッダをペイロードデータに追加することによって第１のＴＣＰ／ＩＰパケットにペイロードデータをカプセル化することを含み、ＴＣＰ／ＩＰヘッダは、ＴＣＰ／ＩＰトンネリングプロトコルに基づいてインターネットに関連する発展型パケットコア（ＥＰＣ）ネットワークのＩＰアドレスを含み、ローカルエリアネットワーク（ＬＡＮ）を介してインターネットサーバを通して第１のＵＥに接続されたＥＰＣ経由でインターネット宛先に第１のＴＣＰ／ＩＰパケットを送信する方法を実行させる。
【００５５】
実施形態の実例８において、実施形態の実例７による命令が、さらに、第２のＵＥへ／からの第１のＬＴＥパケット又は第２のＬＴＥパケットを送信／受信するために、１つのコンポーネントキャリアの送信／受信周波数の変換能力をＵＥが備えるように構成する方法をマスタＵＥに実行させることができる。
【００５６】
実施形態の実例９において、実施形態の実例７〜８のいずれかによる命令は、さらに、第１のＵＥと関連するアイデンティティ及びデータプラン及び／又は第２のＵＥに関連するアイデンティティ及びデータプランを提供することによってインターネットクラウドを経由してＥＰＣネットワークに登録することと、第２のＵＥに関連するデータプランに基づいて、第２のＵＥからＥＰＣへの第１及び第２のＬＴＥパケットの送信及び／又は第１及び第２のＴＰＣ／ＩＰパケットの受信に対して、インターネットサーバに接続された課金サーバに課金することを含む。
【００５７】
実施形態の実例１０において、実施形態の実例７〜９のいずれかによる第１のＴＣＰ／ＩＰパケットは、ＵＥの接続されたコンピュータを経由してインターネットサーバに送信されることができる。
【００５８】
実施形態の実例１１において、実施形態の実例７〜１０のいずれかによる第１のＵＥは、ＬＴＥモジュールとＬＡＮモジュールを有するモデムを備えたモバイル装置であり得る。
【００５９】
実施形態の実例１２において、スモールセルに対するスモール発展型ＮｏｄｅＢ（ｅＮＢ）として使用される第１のユーザ機器（ＵＥ）によって用いられる方法であって、方法は、スモールセルを介して第２のＵＥから第１のロングタームエボリューション（ＬＴＥ）パケットを受信することと、第１のＬＴＥパケットを第２のＬＴＥパケットに変換することであって、第２のＵＥと関連する第１のＬＴＥパケットのヘッダを第１のＵＥに関連する第２のＬＴＥパケットのヘッダと置き換え、第１のＬＴＥパケットのヘッダは、第２のＵＥに関連するインターネットプロトコル（ＩＰ）アドレス及び媒体アクセス制御（ＭＡＣ）アドレスを含み、第２のＬＴＥパケットのヘッダは、第１のＵＥに関連するＩＰアドレス及びＭＡＣアドレスを含む第２のＬＴＥパケットのヘッダを含み、マクロセルを介して第２のＬＴＥパケットを第１のｅＮＢへ送信することを含むことができる。
【００６０】
実施形態の実例１３において、実施形態の実例１２による方法は、さらに、マクロｅＮＢからＬＴＥパケットコールを受信することと、ＬＴＥパケットコールに応答して、第１の無線リソース制御（ＲＲＣ）接続サスペンドリクエストを第２のＵＥに送信し、ＲＲＣ接続サスペンドリクエストに示された第１の期間は第１のＵＥが利用可能ではないことを知らせる。
【００６１】
実施形態の実例１４において、実施形態の実例１２〜１３のいずれかによる方法は、ＲＲＣ接続の再確立なしで、第１の期間満了後、第２のＵＥにサービス提供を継続することをさらに含むことができる。
【００６２】
実施形態の実例１５において、実施形態の実例１２〜１４のいずれかによる方法は、期間の間、ＬＴＥパケットコールを処理することをさらに含むことができる。
【００６３】
実施形態の実例１６において、実施形態の実例１２〜１５のいずれかによる方法は、さらに、第１のＲＲＣ接続サスペンドリクエストに示された第１の期間内にＬＴＥパケットコールが終了できなかったことに応答して、第２の無線リソース制御（ＲＲＣ）接続サスペンドリクエストを第２のＵＥに送信し、第２のＲＲＣ接続サスペンドリクエストに示される第２の期間はマスタＵＥが利用可能ではないことを知らせる。
【００６４】
実施形態の実例１７において、スモールセルに対してスモール発展型ＮｏｄｅＢ（ｅＮＢ）として使用される第１のユーザ機器（ＵＥ）は、プロセッサと、その中に記憶した命令を有する１つ以上の機械読取媒体とを含むことができ、命令は１つ以上のプロセッサによって実行されたときに、第１のＵＥに、スモールセルを介して第２のＵＥから第１のロングタームエボリューション（ＬＴＥ）パケットを受信することと、第１のＬＴＥパケットを第２のＬＴＥパケットに変換することであって、第２のＵＥに関連する第１のＬＴＥパケットのヘッダはマスタＵＥに関連する第２のＬＴＥパケットのヘッダで置き換えられ、第１のＬＴＥパケットのヘッダは、第２のＵＥに関連するインターネットプロトコル（ＩＰ）アドレス及び媒体アクセス制御（ＭＡＣ）アドレスを含み、第２のＬＴＥパケットのヘッダは、第１のＵＥに関連するＩＰアドレス及びＭＡＣアドレスを含み、マクロセルを介してマクロｅＮＢに第２のＬＴＥパケットを送信すること、を含む方法を実行させる。
【００６５】
実施形態の実例１８において、実施形態の実例１７による命令は、さらに、第１のＵＥに、マクロｅＮＢからＬＴＥパケットコールを受信するようにさせ、ＬＴＥパケットコールに応答して、第１の無線リソース制御（ＲＲＣ）接続サスペンドリクエストを第２のＵＥに送信し、ＲＲＣ接続サスペンドリクエストに示される第１の期間は第１のＵＥが利用可能でないことを知らせる。
【００６６】
実施形態の実例１９において、実施形態１７〜１８のいずれかによる命令は、ＲＲＣ接続の再確立なしに、第１の期間の満了後、第２のＵＥにサービス提供し続けることをマスタＵＥにさらにさせることができる。
【００６７】
実施形態の実例２０において、実施形態の実例１７〜１９のいずれかによる命令は、第１の期間の間ＬＴＥパケットコールの処理を第１のＵＥにさらにさせることができる。
【００６８】
実施形態の実例２１において、実施形態の実例１７〜２０のいずれかによる命令は、さらに、第１のＵＥに、ＲＲＣ接続サスペンドリクエストに示された第１の期間内にＬＴＥパケットコールが終わることができないことに応答して、第２の無線リソース制御（ＲＲＣ）接続サスペンドリクエストを第２のＵＥに送信させ、第２のＲＲＣ接続サスペンドリクエストに示された第２の期間は第１のＵＥが利用可能ではないと知らせる。
【００６９】
説明の目的で特定の実施形態が本明細書で図示され、説明されたが、同じ目的を達成するために計画された幅広い様々な代替案及び／又は同等の実施形態又は実装は、本開示の範囲から逸脱することなく、示され、説明された実施形態に対して、置き換えることができる。本応用は、本明細書で検討した実施形態のいかなる改良又は変形もカバーする意図である。したがって、本明細書で説明した実施形態は、請求項及びその均等物によってのみ制限されることを明白に意図する。
【図１】
0006404463.tif 000003
【図２】
0006404463.tif 000004
【図３】
0006404463.tif 000005
【図４】
0006404463.tif 000006
【図５】
0006404463.tif 000007
【図６】
0006404463.tif 000008